(57)【要約】【課題】曲げやすくて履き心地がよく、皺ができない、保形性及び外観性に優れたスリッパを提供することを課題とする。【解決手段】スリッパ１０は、床面４０に接するとともに足５０の裏を支持する底部２０と、この底部２０に設けられ足５０の甲を覆う甲部３０とから構成されている。甲部３０には、底部２０の先端２１から甲部３０の後端３１までの間の前後方向中間部に、横幅方向へ延びる脆弱部３２が設けられている。甲部３０は、内方を構成する中材３５と、この中材３５を覆う生地３６とを備える。【選択図】図５
0003208789.tif 000002
【実用新案登録請求の範囲】
【請求項１】
床面に接するとともに足の裏を支持する底部と、この底部に設けられ足の甲を覆う甲部とからなるスリッパにおいて、
前記甲部には、前記底部の先端から前記甲部の後端までの間の前後方向中間部に横幅方向へ延びる脆弱部が設けられていることを特徴とするスリッパ。
【請求項２】
前記脆弱部の前後方向の幅は、２ｍｍ以上１５ｍｍ以下である請求項１記載のスリッパ。
【請求項３】
前記脆弱部は、２本以上のステッチから構成されている請求項１又は請求項２記載のスリッパ。
【請求項４】
前記甲部は、内方を構成する中材と、この中材を覆う生地とを備え、
前記中材は、柔軟なウレタン素材のみからなる請求項１〜３のいずれか１項記載のスリッパ。
【請求項５】
前記底部の底面には、前記脆弱部の左端の下方から前記脆弱部の右端の下方まで延びる溝が設けられている請求項１〜４のいずれか１項記載のスリッパ。
【請求項６】
前記脆弱部は、前記底部の先端から前記甲部の後端までの間の前後方向中間部にのみ設けられている請求項１〜５のいずれか１項記載のスリッパ。
【請求項７】
前記甲部は、前記底部の先端から前記甲部の後端までの全体で、前記足の甲を覆うように形成されている請求項１〜６のいずれか１項記載のスリッパ。
【考案の詳細な説明】
【技術分野】
【０００１】
本考案は、スリッパの改良に関し、特に、履き心地がよく、保形性及び外観性に優れたスリッパに関するものである。
【背景技術】
【０００２】
従来、室内等で履かれるスリッパは、床面に接する底部と、この底部に設けられ足の甲を覆う甲部とから構成されており、スリッパを脱いでもスリッパのおおよその形状が保たれる。このような保形性を有するスリッパが各種提案されている（例えば、特許文献１（図１）参照）。
【０００３】
特許文献１の技術を、次図で説明する。
図１０に示すように、スリッパ１００は、床面に接するとともに使用者の足の裏を支持する底部１０１と、この底部１０１に設けられ足の甲を覆う甲部１０２とからなる。底部１０１は、ゴムシート片等からなる平板の芯１０３をポリエステル繊維製の織物等からなる被覆１０４で覆って形成されている。甲部１０２も同様に、ゴムシート片等からなる芯１０５をポリエステル繊維製の織物等からなる被覆１０６で覆って形成されている。
【０００４】
甲部１０２は、芯１０５が被覆１０６からはみ出さないように、被覆１０６の縁１０７に沿って縫製されている。また、甲部１０２は、面積が大きいことから被覆１０６の縁１０７から離れた部分が弛まないようにするため、前後方向における甲部１０２全長の先端から略１／３の部分及び略２／３の部分に縫い目１０８、１０９があるように縫製されている。このような構成から、使用者に履かれていないスリッパ１００は、形状がある程度保たれる。
【０００５】
ところで、スリッパ１００は、使用者が止まった状態で履かれているだけでなく、使用者が歩いた状態でも履かれている。使用者が歩くとき、足の踵がスリッパ１００の底部１０１から離れ、足の甲がスリッパ１００の甲部１０２を押し上げてから、スリッパ１００全体が持ち上げられる。甲部１０２が押し上げられるとき、甲部１０２の上側は下方に窪むように曲げられる。具体的には、甲部１０２は、足の曲がりに沿うように曲げられる。
【０００６】
しかし、甲部１０２は滑らかな面であることから、足の曲がり位置に対応する部分が、皺になりつつ無理に曲がり、形が崩れて皺の跡が残る。さらに、甲部を無理に曲げる必要があるため、履き心地がよくない。また、甲部１０２の縫い目１０８、１０９は、足の曲がり位置とは異なる位置にあるためほとんど曲がらず、縫い目１０８、１０９では皺が吸収されない。
【０００７】
そこで、曲げやすくて履き心地がよく、皺ができない、保形性及び外観性に優れたスリッパが望まれる。
【先行技術文献】
【特許文献】
【０００８】
【特許文献１】特開平１１−１６４７０１号公報
【考案の概要】
【考案が解決しようとする課題】
【０００９】
本考案は、曲げやすくて履き心地がよく、皺ができない、保形性及び外観性に優れたスリッパを提供することを課題とする。
【課題を解決するための手段】
【００１０】
請求項１に係る考案は、床面に接するとともに足の裏を支持する底部と、この底部に設けられ足の甲を覆う甲部とからなるスリッパにおいて、前記甲部には、前記底部の先端から前記甲部の後端までの間の前後方向中間部に横幅方向へ延びる脆弱部が設けられていることを特徴とする。
【００１１】
請求項２に係る考案では、脆弱部の前後方向の幅は、２ｍｍ以上１５ｍｍ以下である。
【００１２】
請求項３に係る考案では、脆弱部は、２本以上のステッチから構成されている。
【００１３】
請求項４に係る考案では、甲部は、内方を構成する中材と、この中材を覆う生地とを備え、中材は、柔軟なウレタン素材のみからなる。
【００１４】
請求項５に係る考案は、底部の底面には、脆弱部の左端の下方から脆弱部の右端の下方まで延びる溝が設けられている。
【００１５】
請求項６に係る考案では、脆弱部は、底部の先端から甲部の後端までの間の前後方向中間部にのみ設けられている。
【００１６】
請求項７に係る考案では、甲部は、底部の先端から甲部の後端までの全体で、足の甲を覆うように形成されている。
【考案の効果】
【００１７】
請求項１に係る考案では、スリッパは、床面に接するとともに足の裏を支持する底部と、この底部に設けられ足の甲を覆う甲部とからなる。甲部には、底部の先端から甲部の後端までの間の前後方向中間部に横幅方向へ延びる脆弱部が設けられており、脆弱部がスリッパを履いた際の足の曲がり位置にあるので、甲部が曲がり易く履き心地がよい。
【００１８】
加えて、甲部には、足の曲がり位置に脆弱部が設けられているので、脆弱部が曲がることで皺を吸収することができる。
【００１９】
請求項２に係る考案では、脆弱部の前後方向の幅は、２ｍｍ以上１５ｍｍ以下である。脆弱部の前後方向の幅を２ｍｍ未満にすると、皺の膨らみを吸収しきれないことがあるが、脆弱部の前後方向の幅を２ｍｍ以上とすることで、皺の膨らみを十分に吸収することができ、甲部に皺ができず、保形性及び外観性を向上させることができる。
【００２０】
一方、脆弱部の前後方向の幅を１５ｍｍより大きくすると、脆弱部自体の内側に皺が形成され易くなるが、脆弱部の前後方向の幅を１５ｍｍ以下とすることで、脆弱部の内側が皺になりにくく滑らかに湾曲するのみとなる。仮に、脆弱部の内側に皺が形成されても、幅が１５ｍｍ以下であれば幅が狭く目立たないので、外観性をよい状態に保つことができる。
【００２１】
請求項３に係る考案では、脆弱部を、２本以上のステッチから構成することで、皺を吸収できる程度に脆弱部の前後方向の幅を広げることができ、甲部がより曲がり易く、皺にならない。
【００２２】
請求項４に係る考案では、甲部は、内方を構成する中材と、この中材を覆う生地とを備える。中材は、柔軟なウレタン素材のみからなるので、足当たりがよく、より履き心地を向上させることができる。また、中材は、比較的硬い芯材がないため、甲部をより曲がり易くすることができる。
【００２３】
請求項５に係る考案では、底部の底面には、脆弱部の左端の下方から脆弱部の右端の下方まで延びる溝が設けられているので、底部が屈曲性を有する。このため、足の曲がり位置で、底部も曲がり易くすることができ、スリッパ全体として適切な位置でより一層曲がり易くすることができる。
【００２４】
請求項６に係る考案では、脆弱部は、底部の先端から甲部の後端までの間の前後方向中間部にのみ設けられているので、甲部に複数の脆弱部を設ける必要がなく、生産性を向上させることができる。また、脆弱部が１カ所となるので、甲部をシンプルにして外観性を向上させることができる。
【００２５】
請求項７に係る考案では、甲部は、底部の先端から甲部の後端までの全体で、足の甲を覆うように形成されている。従来技術のように、甲部の先端が開放されたスリッパでは、スリッパが曲げられた際に撓みの一部を開放された部分に逃がすこともできるが、デザイン上や保温機能上、甲部の先端を開放できない場合がある。このような場合であっても、本考案であれば、甲部を曲がり易く皺にならないようにできる。
【図面の簡単な説明】
【００２６】
【図１】実施例１に係るスリッパの斜視図である。
【図２】スリッパの平面図である。
【図３】スリッパの側面図である。
【図４】スリッパの底面図である。
【図５】図２の５−５線断面図である。
【図６】比較例のスリッパと実施例のスリッパの作用図である。
【図７】実施例２に係るスリッパの平面図である。
【図８】実施例３に係るスリッパの平面図である。
【図９】実施例４に係るスリッパの斜視図である。
【図１０】従来のスリッパを説明する図である
【考案を実施するための形態】
【００２７】
本考案を実施するための形態を添付図に基づいて以下に説明する。
【実施例１】
【００２８】
先ず、本考案の実施例１を図面に基づいて説明する。
図１に示すように、スリッパ１０は、床面４０に接するとともに足の裏を支持する底部２０と、この底部２０に設けられ足の甲を覆う甲部３０とからなる。甲部３０は、底部２０の先端２１から甲部３０の後端３１までの全体で、足の甲を覆うように形成されている。
【００２９】
甲部３０には、底部２０の先端２１から甲部３０の後端３１までの間の前後方向中間部に脆弱部３２が設けられている。脆弱部３２は、第１のステッチ３３と第２のステッチ３４とから構成されている。また、脆弱部３２は、底部の先端２１から甲部の後端３１までの間の前後方向中間部にのみ設けられている。この構成により、甲部３０に複数の脆弱部３２を設ける必要がなく、生産性を向上させることができる。さらに、脆弱部３２が１カ所となるので、甲部３０をシンプルにして外観性を向上させることができる。
【００３０】
底部２０は、床面に接地する表側の表底２２と、この表底２２に重ねられ足を支持する中底２３とを備えている。表底２２を例えばＥＶＡ（Ethylene Vinyl Acetate Copolymer）等の滑り難い素材とし、中底２３を例えばスポンジなどのクッション性を有する素材とすることで、全体として滑り難く且つ履き心地のよいスリッパ１０とすることができる。
【００３１】
図２に示すように、脆弱部３２は、底部の先端２１から甲部３０の後端３１までの間の前後方向中間部に横幅方向へ延びるように設けられている。具体的には、底部の先端２１から脆弱部３２の前後方向の中心までの距離Ｌ１が、脆弱部３２の前後方向の中心から甲部３０の後端３１までの距離Ｌ２と略同等である。また、底部２０と甲部３０との左側の接続部３２Ｌから右側の接続部３２Ｒまで横幅方向に延びるように脆弱部３２が設けられている。
【００３２】
脆弱部３２の前後方向の幅Ｌ３は、２ｍｍ以上１５ｍｍ以下に設定されている。スリッパ１０を履いて歩いた際、スリッパ１０の曲がりに伴い甲部３０も下方に窪むように曲がる。仮に、脆弱部３２の前後方向の幅Ｌ３を２ｍｍ未満にすると、甲部３０の曲がりによる皺の膨らみを吸収しきれないことがあるが、脆弱部３２の前後方向の幅Ｌ３を２ｍｍ以上とすることで、皺の膨らみを十分に吸収することができ、甲部３０に皺ができず、保形性及び外観性を向上させることができる。
【００３３】
一方、脆弱部３２の前後方向の幅Ｌ３を１５ｍｍより大きくすると、脆弱部３２自体の内側に皺が形成され易くなるが、脆弱部３２の前後方向の幅Ｌ３を１５ｍｍ以下とすることで、脆弱部３２の内側が皺になりにくく滑らかに湾曲するのみとなる。仮に、脆弱部３２の内側に皺が形成されても、幅Ｌ３が１５ｍｍ以下であれば幅が狭く目立たないので、外観性をよい状態に保つことができる。
【００３４】
脆弱部３２は、第１のステッチ３３と第２のステッチ３４とから構成されている。脆弱部３２を、２本のステッチ３３、３４から構成することで、皺を吸収できる程度に脆弱部３２の前後方向の幅Ｌ３を広げることができ、甲部３０がより曲がり易く、皺にならない。
【００３５】
図３に示すように、側面視において、甲部３０の後端３１は、上端から後ろ下がりになるよう斜めに延びている。また、側面視において、脆弱部３２は、上端から後ろ下がりに斜めに延びている。このため、脆弱部３２は、上部においても下部においても、底部の先端２１から脆弱部３２の前後方向の中心までの距離Ｌが、脆弱部３２の前後方向の中心から甲部３０の後端３１までの距離と略同等になる。
【００３６】
脆弱部３２が、側面視で上端から後ろ下がりに斜めに延びていることで、スリッパ１０を履いて歩いた際、足の曲がりに沿った位置に脆弱部３２が位置するので、スリッパ１０が足にフィットして曲がり、曲がり易く履き心地がよい。また、足の曲がりに沿った位置に脆弱部３２が位置するので、皺がよる部分に脆弱部３２を配置することになり、脆弱部３２で皺を吸収し易くできる。
【００３７】
また、スリッパ１０は、一般的な靴（履物）とは異なり足の踵を覆う部分がないため、歩行時にスリッパ１０の後部側を持ち上げることができない。このため、歩行時、スリッパ１０では甲部３０でのみスリッパ１０を持ち上げることになり、踵を覆う部分のある靴と比較して、甲部３０により一層の負荷が掛かる。この点、本考案では、甲部３０が脆弱部３２から曲がり易いので、靴のように踵を持ち上げる部分がなくても、甲部３０に掛かる負荷を軽減させ、履き心地を向上させることができる。
【００３８】
図３、図４に示すように、底部２０の底面２４には、脆弱部３２の左端の下方から脆弱部３２の右端の下方まで延びる溝２５が設けられている。底面２４に溝２５が設けられているので、溝２５を起点として底部２０が反るように曲がる屈曲性を有する。このため、足の曲がり位置で、底部２０も曲がり易くすることができ、スリッパ１０全体として適切な位置でより一層曲がり易くすることができる。
【００３９】
図５に示すように、甲部３０は、内方を構成する中材３５と、この中材３５を覆う生地３６とを備える。中材３５は、柔軟なウレタン素材のみからなる。このため、足当たりがよく、より履き心地を向上させることができる。また、中材３５は、比較的硬い芯材がなく、柔らかい素材のみで構成されるため、甲部３０をより曲がり易くすることができる。
【００４０】
脆弱部３２は、甲部３０全体の中で凹み形状となる部分であるため、脆弱となる。このため、甲部３０が曲がる力が加わった際に、脆弱部３２から曲がり易くなる。仮に、前後方向に幅がない１本のステッチの場合は、折れ曲がり易いが、皺が寄った際の皺を逃がす空間が無いため、吸収しきれない皺がステッチの周囲にできる虞がある。この点、本考案では、脆弱部３２は前後方向に一定の幅があるため、皺が寄った際の皺を逃がす空間があり、脆弱部３２で多くの皺を吸収することができる。
【００４１】
また、甲部３０は、その前部が穴の空いた開放された形態ではなく、足５０の指５１まで覆うように形成されている。甲部３０には、足の曲がり位置５２に沿って、脆弱部３２が設けられている。従来技術のように、甲部の先端が開放されたスリッパでは、スリッパが曲げられた際に撓みの一部を開放された部分に逃がすこともできるが、デザイン上や保温機能上、甲部の先端を開放できない場合がある。このような場合であっても、本考案であれば、甲部３０を曲がり易く皺にならないようにできる。
【００４２】
また、底部２０は、表底２２に中底２３が重ねられている。中底２３は、中底用生地２６で覆われている。中底用生地２６を設けることで、足５０の触り心地を向上させることができる。
【００４３】
なお、甲部３０の中材３５を覆う生地３６及び、底部２０の中底用生地２６は、綿、ポリエステルなど、一般的な生地素材であればよい。また、実施例では、中材３５をウレタン素材としたが、これに限定されず、他の一般的な柔軟性を有する素材や、比較的硬い芯材を採用しても差し支えない。また、実施例では、表底２２をＥＶＡとしたが、これに限定されず、滑り難い素材であれば、ゴムや他の合成樹脂でもよく、さらには、表底２２を表皮で覆っても差し支えない。
【００４４】
以上に述べたスリッパ１０の作用を次に説明する。
図６（ａ）は比較例を示す図であり、比較例のスリッパ１１０は、甲部１１１にステッチがない。スリッパ１１０を履いた状態で歩くと、足５０の甲によりスリッパ１１０の甲部１１１が矢印（１）のように持ち上げられる。甲部１１１にステッチがないので、足５０の曲がり位置５２を中心に、甲部１１１の至る所に皺１１３ができる。また、甲部１１１にステッチがないため、スリッパ１１０が曲がり難い。
【００４５】
図６（ｂ）は別の比較例を示す図であり、別の比較例のスリッパ１２０は、甲部１２１における足５０の曲がり位置５２にステッチがない。スリッパ１２０を履いた状態で歩くと、足５０の甲によりスリッパ１２０の甲部１２１が矢印（２）のように持ち上げられる。甲部１２１には、足５０の曲がり位置５２にステッチがないので、足５０の曲がり位置５２を中心に、甲部１１１に皺１２３ができる。甲部１２１には、前後方向における甲部１０２全長の先端から略１／３の部分及び略２／３の部分にステッチ１２４、１２５があるが、ステッチ１２４、１２５は、足５０の曲がり位置５２とは異なる位置にあるためほとんど曲がらず、ステッチ１２４、１２５では皺１２３が吸収されない。
【００４６】
図６（ｃ）は実施例を示す図である。スリッパ１０を履いた状態で歩くと、足５０の甲によりスリッパ１０の甲部３０が矢印（３）のように持ち上げられる。甲部３０には、足５０の曲がり位置５２に、第１のステッチ３３及び第２のステッチ３４による脆弱部３２が形成されているので、脆弱部３２を中心に曲がり、脆弱部３２には前後方向に所定の幅があるため、矢印（４）のように皺が吸収される。結果、スリッパ１０を元の状態に戻した時に、甲部３０に皺が残らない。
【００４７】
また、スリッパ１０は、一般的が靴（履物）とは異なり足の踵を覆う部分がないため、歩行時にスリッパ１０の後部側を持ち上げることができず、甲部３０でのみスリッパ１０を持ち上げることになる。このため、踵を覆う部分のあるために後部側からも持ち上げることができる靴と比較して、甲部３０により一層の負荷が掛かる。この点、本考案では、底部２０の溝２５部分から矢印（５）のように曲がるため、足５０の曲がり位置５２から底部２０が容易に曲がり、結果的に甲部３０への負荷が軽減される。このように、脆弱部３２及び溝２５が、スリッパ１０を履いた際の足５０の曲がり位置５２にあるので、甲部３０及び底部２０が曲がり易く、履き心地を良くすることができる。
【実施例２】
【００４８】
次に、本考案の実施例２を図面に基づいて説明する。なお、図２に示した構成と同一構成については同一符号を付け、詳細説明は省略する。
図７に示すように、脆弱部３２は、第１のステッチ３３、第２のステッチ３４及び第３のステッチ３７から構成されている。脆弱部３２の前後方向の幅はＬ４であり、脆弱部３２の幅Ｌ４を比較的大きくしても、平行に並ぶ３本のステッチ３３、３４、３７により、脆弱部３２全体を窪ませ、脆弱性を保ち易くすることができるとともに、外観性を向上させることができる。なお、この実施例では、ステッチを３本としたが、これに限定されず、４本や５本などとしてもよく、前後方向の幅及び脆弱性を保つことができればステッチの本数は問わない。
【実施例３】
【００４９】
次に、本考案の実施例３を図面に基づいて説明する。なお、図２に示した構成と同一構成については同一符号を付け、詳細説明は省略する。
図８に示すように、脆弱部３２は、１本のステッチ３３でジグザグ縫いにより形成されている。１本のステッチ３３であっても、ジグザグ縫いにすることで、脆弱部３２の前後方向の幅Ｌ５を所定の幅にすることができる。このため、脆弱部３２の機能を維持しつつ、脆弱部の生産性を向上させることができる。
【実施例４】
【００５０】
次に、本考案の実施例４を図面に基づいて説明する。なお、図１に示した構成と同一構成については同一符号を付け、詳細説明は省略する。
図９に示すように、スリッパ１０の甲部３０は、先端側がなく、開口部３８が形成されている。脆弱部３２の位置は、底部２０の先端２１から甲部３０の後端３１までの間の前後方向中間部にある。開口部３８が形成された場合であっても、足の曲がり位置に脆弱部３２が形成されているので、歩行時、甲部３０を曲がり易くできる。さらに、開口部３８を有することで、歩行時に開口部３８側へ皺を逃がすこともでき、より一層履き心地を向上させることもできる。
【００５１】
尚、実施例では、脆弱部３２をステッチで形成したが、これに限定されず、甲部３０の脆弱部３２の位置で中材分割することや、接着によって脆弱部３２を形成しても差し支えない。また、実施例では、スリッパ１０を室内履き用としたが、これに限定されず、外履き用のスリッパであっても差し支えない。
【産業上の利用可能性】
【００５２】
本考案のスリッパは、室内履き用のスリッパに好適である。
【符号の説明】
【００５３】
１０...  スリッパ
２０...  底部
２１...  底部の先端
２５...  溝
３０...  甲部
３１...  甲部の後端
３２...  脆弱部
３３...  第１のステッチ
３４...  第２のステッチ
３５...  中材
３６...  生地
３７...  第３のステッチ
【図１】
0003208789.tif 000003
【図２】
0003208789.tif 000004
【図３】
0003208789.tif 000005
【図４】
0003208789.tif 000006
【図５】
0003208789.tif 000007
【図６】
0003208789.tif 000008
【図７】
0003208789.tif 000009
【図８】
0003208789.tif 000010
【図９】
0003208789.tif 000011
【図１０】
0003208789.tif 000012